【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
撮像手段と、
この撮像手段に対し、連続して撮像するよう制御する撮像制御手段と、
この撮像制御手段による制御の間にシャッタボタンが操作されたか否かを判断する判断手段と、
この判断手段によってシャッタボタンが操作されたと判断されると、その操作されたタイミングに基づいて前記撮像制御手段により連続して撮像された複数の画像データを取得する画像取得手段と、
この画像取得手段により取得された複数の画像データから特定の画像データを選択する選択手段と、
この選択手段により選択された画像データが撮像されたタイミングと、前記シャッタボタンが操作されたタイミングとの時間の差を示すズレタイミング情報を取得するズレタイミング取得手段と、
表示手段と、
前記ズレタイミング取得手段により取得されたズレタイミング情報に基づいて、前記画像取得手段により取得された複数の画像データの前記表示手段への表示を制御する制御手段と、
を備えたことを特徴とする撮像装置。
【請求項２】
前記ズレタイミング取得手段によって取得されたズレタイミング情報を複数記憶する第１のズレタイミング記憶手段と、
この第１のズレタイミング記憶手段によって記憶された複数のズレタイミング情報の平均値を算出する平均値算出手段と、
を更に備え、
前記制御手段は、前記ズレタイミング情報に代えて前記平均値算出手段によって算出された平均値に基づいて前記画像取得手段により取得された複数の画像データの前記表示手段への表示を制御することを特徴とする請求項１記載の撮像装置。
【請求項３】
前記画像取得手段は、前記シャッタボタンが操作されたタイミング以前又は以後に前記撮像制御手段により撮像された複数の画像データを取得することを特徴とする請求項１又は２に記載の撮像装置。
【請求項４】
前記制御手段は、前記特定の画像データを前記表示手段に最初に単一表示させるよう制御することを特徴とする請求項１乃至３の何れかに記載の撮像装置。
【請求項５】
前記制御手段は、前記画像取得手段が取得した複数の画像データを前記表示手段に切換表示するよう制御するとともに、前記特定の画像データの表示時間を、該タイミング付近以外のタイミングで撮像された画像データの表示時間より長く前記表示手段に表示するよう制御することを特徴とする請求項１乃至３の何れかに記載の撮像装置。
【請求項６】
前記制御手段は、前記画像取得手段が取得された複数の画像データを前記表示手段にマルチ表示するよう制御するとともに、前記特定の画像については他の画像データとは差別して表示するよう制御することを特徴とする請求項１乃至３の何れかに記載の撮像装置。
【請求項７】
記録手段と、
前記特定の画像データに前記ズレタイミング情報を関連付け、前記画像取得手段によって取得された複数の画像データとともに前記記録手段に記録するよう制御する記録制御手段と、
を更に備えたことを特徴とする請求項１乃至６の何れかに記載の撮像装置。
【請求項８】
撮像部、シャッタボタン、表示部を備えた撮像装置が有するコンピュータを、
前記撮像部に対し連続して撮像するよう制御する撮像制御手段、
この撮像制御手段による制御の間に前記シャッタボタンが操作されたか否かを判断する判断手段、
この判断手段によって前記シャッタボタンが操作されたと判断されると、その操作されたタイミングに基づいて前記撮像制御手段によって連続して撮像された複数の画像データを取得する画像取得手段、
この画像取得手段によって取得された複数の画像データから特定の画像データの選択を検出する選択検出手段、
この選択検出手段によって選択された画像データが撮像されたタイミングと、前記シャッタボタンが操作されたタイミングとの時間の差を示すズレタイミング情報を取得するズレタイミング取得手段、
このズレタイミング取得手段によって取得されたズレタイミング情報に基づいて、前記画像取得手段によって取得された複数の画像データの前記表示部への表示を制御する制御手段、
として機能させることを特徴とするプログラム。
【手続補正２】
【補正対象書類名】明細書
【補正対象項目名】０００６
【補正方法】変更
【補正の内容】
【０００６】
上記目的達成のため、請求項１記載の発明は、
撮像手段と、
この撮像手段に対し、連続して撮像するよう制御する撮像制御手段と、
この撮像制御手段による制御の間にシャッタボタンが操作されたか否かを判断する判断手段と、
この判断手段によってシャッタボタンが操作されたと判断されると、その操作されたタイミングに基づいて前記撮像制御手段により連続して撮像された複数の画像データを取得する画像取得手段と、
この画像取得手段により取得された複数の画像データから特定の画像データを選択する選択手段と、
この選択手段により選択された画像データが撮像されたタイミングと、前記シャッタボタンが操作されたタイミングとの時間の差を示すズレタイミング情報を取得するズレタイミング取得手段と、
表示手段と、
前記ズレタイミング取得手段により取得されたズレタイミング情報に基づいて、前記画像取得手段により取得された複数の画像データの前記表示手段への表示を制御する制御手段と、
を備えたことを特徴とする。
【手続補正３】
【補正対象書類名】明細書
【補正対象項目名】０００７
【補正方法】変更
【補正の内容】
【０００７】
また、請求項２記載の発明は、上記請求項１記載の発明において、
前記ズレタイミング取得手段によって取得されたズレタイミング情報を複数記憶する第１のズレタイミング記憶手段と、
この第１のズレタイミング記憶手段によって記憶された複数のズレタイミング情報の平均値を算出する平均値算出手段と、
を更に備え、
前記制御手段は、前記ズレタイミング情報に代えて前記平均値算出手段によって算出された平均値に基づいて前記画像取得手段により取得された複数の画像データの前記表示手段への表示を制御することを特徴とする。
【手続補正４】
【補正対象書類名】明細書
【補正対象項目名】０００８
【補正方法】変更
【補正の内容】
【０００８】
また、請求項３記載の発明は、上記請求項１又は２に記載の発明において、
前記画像取得手段は、前記シャッタボタンが操作されたタイミング以前又は以後に前記撮像制御手段により撮像された複数の画像データを取得することを特徴とする。
【手続補正５】
【補正対象書類名】明細書
【補正対象項目名】０００９
【補正方法】変更
【補正の内容】
【０００９】
また、請求項４記載の発明は、上記請求項１乃至３の何れかに記載の発明において、
前記制御手段は、前記特定の画像データを前記表示手段に最初に単一表示させるよう制御することを特徴とする。
【手続補正６】
【補正対象書類名】明細書
【補正対象項目名】００１０
【補正方法】変更
【補正の内容】
【００１０】
また、請求項５記載の発明は、上記請求項１乃至３の何れかに記載の発明において、
前記制御手段は、前記画像取得手段が取得した複数の画像データを前記表示手段に切換表示するよう制御するとともに、前記特定の画像データの表示時間を、該タイミング付近以外のタイミングで撮像された画像データの表示時間より長く前記表示手段に表示するよう制御することを特徴とする。
【手続補正７】
【補正対象書類名】明細書
【補正対象項目名】００１１
【補正方法】変更
【補正の内容】
【００１１】
また、請求項６記載の発明は、上記請求項１乃至３の何れかに記載の発明において、
前記制御手段は、前記画像取得手段が取得された複数の画像データを前記表示手段にマルチ表示するよう制御するとともに、前記特定の画像については他の画像データとは差別して表示するよう制御することを特徴とする。
【手続補正８】
【補正対象書類名】明細書
【補正対象項目名】００１２
【補正方法】変更
【補正の内容】
【００１２】
また、請求項７記載の発明は、上記請求項１乃至６の何れかに記載の発明において、
記録手段と、
前記特定の画像データに前記ズレタイミング情報を関連付け、前記画像取得手段によって取得された複数の画像データとともに前記記録手段に記録するよう制御する記録制御手段と、
を更に備えたことを特徴とする。
【手続補正９】
【補正対象書類名】明細書
【補正対象項目名】００１３
【補正方法】変更
【補正の内容】
【００１３】
また、上記目的達成のため、請求項８記載の発明は、
撮像部、シャッタボタン、表示部を備えた撮像装置が有するコンピュータを、
前記撮像部に対し連続して撮像するよう制御する撮像制御手段、
この撮像制御手段による制御の間に前記シャッタボタンが操作されたか否かを判断する判断手段、
この判断手段によって前記シャッタボタンが操作されたと判断されると、その操作されたタイミングに基づいて前記撮像制御手段によって連続して撮像された複数の画像データを取得する画像取得手段、
この画像取得手段によって取得された複数の画像データから特定の画像データの選択を検出する選択検出手段、
この選択検出手段によって選択された画像データが撮像されたタイミングと、前記シャッタボタンが操作されたタイミングとの時間の差を示すズレタイミング情報を取得するズレタイミング取得手段、
このズレタイミング取得手段によって取得されたズレタイミング情報に基づいて、前記画像取得手段によって取得された複数の画像データの前記表示部への表示を制御する制御手段、として機能させることを特徴とする。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００６６
【補正方法】変更
【補正の内容】
【００６６】
（７）また、上記実施の形態及び変形例（１）乃至（６）においては、セットキーの操作が行なわれると、ステップＳ１５で現在選択されている画像データを静止画として記録するようにしたが、現在記録されているズレタイミング情報に基づいて自動的に画像データを記録するようにしてもよい。
具体的に説明すると、図２のステップＳ９で、ズレタイミングがあると判断すると、連続撮像によりバッファメモリに記憶された複数の画像データのうち、シャッタボタン全押し時の画像データ、つまり、識別情報が付されている画像データからズレタイミング分に相当する画像データを自動的に選択し、該選択した画像データをフラッシュメモリ１４に記録する。
一方、ステップＳ９で、ズレタイミングがないと判断すると、連続撮像によりバッファメモリに記憶された複数の画像データのうち、シャッタボタン全押し時の画像データを自動的に選択し、つまり、バッファメモリに記憶されている画像データのうち、識別情報が付されている画像データを選択し、該選択した画像データをフラッシュメモリ１４に記録する。
これにより、ズレタイミングに基づいてシャッタチャンスの画像を得ることができる。